(57)【要約】【課題】操作性（使用感）に優れた描画オブジェクト確定処理機能を有する情報処理システムを提供することを目的とする。【解決手段】情報処理システム１は、タッチパネル１０と、タッチパネル１０が検出した描画線ＯＴＬを表示する表示装置２０と、タッチパネル１０に描画された描画線ＯＴＬに対する処理を施して表示装置２０に描画線ＯＴＬを表示させる制御装置３０とを備える。制御装置３０は、制御部３１を備え、制御部３１は、既存オブジェクト認識手段３２、隣接枠状領域画定手段３３、外周領域画定手段３４、移動先位置認識手段３５、オブジェクト確定手段３６、言語記述方向認識手段３７、確定オブジェクト記憶手段３８と連携して動作する構成としてある。【選択図】図１
2009175869.tif 000002
【特許請求の範囲】
【請求項１】
タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムであって、
タッチペンで描画された描画線を既存オブジェクトとして認識する既存オブジェクト認識手段と、
該既存オブジェクト認識手段で認識した既存オブジェクトの上下左右に想定外接線を適用して既存オブジェクトを囲む単位矩形ブロックを画定し該単位矩形ブロックに隣接する矩形状の隣接矩形ブロックを前記単位矩形ブロックの周囲に行列状に配置して隣接枠状領域を画定する隣接枠状領域画定手段と、
前記隣接枠状領域の外周を外周領域として画定する外周領域画定手段と、
既存オブジェクトの次に描画された新しい描画線の移動先位置を認識する移動先位置認識手段と、
前記単位矩形ブロックの位置と前記移動先位置認識手段で認識された移動先位置との相関に基づいて既存オブジェクトを確定オブジェクトとして確定するオブジェクト確定手段とを備えること
を特徴とする情報処理システム。
【請求項２】
請求項１に記載の情報処理システムであって、
前記移動先位置認識手段で認識した新しい描画線の移動先位置が前記外周領域にあるとき、前記オブジェクト確定手段は、既存オブジェクトを確定オブジェクトとして確定する構成としてあること
を特徴とする情報処理システム。
【請求項３】
請求項１または請求項２に記載の情報処理システムであって、
前記移動先位置認識手段で認識した新しい描画線の移動先位置が前記隣接枠状領域の上側行に対応する前記隣接矩形ブロックにあるとき、前記オブジェクト確定手段は、既存オブジェクトを確定オブジェクトとして確定する構成としてあること
を特徴とする情報処理システム。
【請求項４】
請求項３に記載の情報処理システムであって、
言語が記述される方向を認識する言語記述方向認識手段を備え、描画線で表された言語が右方向へ記述される言語であると前記言語記述方向認識手段によって認識された場合に、前記移動先位置認識手段で認識した新しい描画線の移動先位置が前記隣接枠状領域の左側列に対応する前記隣接矩形ブロックにあるとき、前記オブジェクト確定手段は、既存オブジェクトを確定オブジェクトとして確定する構成としてあること
を特徴とする情報処理システム。
【請求項５】
請求項４に記載の情報処理システムであって、
前記移動先位置認識手段で認識した新しい描画線の移動先位置が前記隣接枠状領域の上側行および左側列の前記隣接矩形ブロックを除く他の前記隣接矩形ブロックまたは前記単位矩形ブロックにあるとき、前記オブジェクト確定手段は、既存オブジェクトを確定オブジェクトとして確定することを留保し、前記既存オブジェクト認識手段は、新しい描画線を既存オブジェクトに加えて新たな既存オブジェクトとする構成としてあること
を特徴とする情報処理システム。
【請求項６】
請求項３に記載の情報処理システムであって、
言語が記述される方向を認識する言語記述方向認識手段を備え、描画線で表された言語が左方向へ記述される言語であると前記言語記述方向認識手段によって認識された場合に、前記移動先位置認識手段で認識した新しい描画線の移動先位置が前記隣接枠状領域の右側列に対応する前記隣接矩形ブロックにあるとき、前記オブジェクト確定手段は、既存オブジェクトを確定オブジェクトとして確定する構成としてあること
を特徴とする情報処理システム。
【請求項７】
請求項６に記載の情報処理システムであって、
前記移動先位置認識手段で認識した新しい描画線の移動先位置が前記隣接枠状領域の上側行および右側列の前記隣接矩形ブロックを除く他の前記隣接矩形ブロックまたは前記単位矩形ブロックにあるとき、前記オブジェクト確定手段は、既存オブジェクトを確定オブジェクトとして確定することを留保し、前記既存オブジェクト認識手段は、新しい描画線を既存オブジェクトに加えて新たな既存オブジェクトとする構成としてあること
を特徴とする情報処理システム。
【請求項８】
請求項１ないし請求項７のいずれか一つに記載の情報処理システムであって、
確定した確定オブジェクトを記憶する確定オブジェクト記憶手段を備え、前記オブジェクト確定手段は、確定した確定オブジェクトを前記確定オブジェクト記憶手段に記憶させる構成としてあること
を特徴とする情報処理システム。
【請求項９】
請求項１ないし請求項８のいずれか一つに記載の情報処理システムであって、
既存オブジェクトと想定外接線との間隔を調整する外接線調整手段を備えること
を特徴とする情報処理システム。
【請求項１０】
タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムでの描画線処理方法であって、
タッチペンで描画された描画線を既存オブジェクトとして認識する既存オブジェクト認識ステップと、
該既存オブジェクト認識ステップで認識した既存オブジェクトの上下左右に想定外接線を適用して既存オブジェクトを囲む単位矩形ブロックを画定し該単位矩形ブロックに隣接する矩形状の隣接矩形ブロックを前記単位矩形ブロックの周囲に行列状に配置して隣接枠状領域を画定する隣接枠状領域画定ステップと、
前記隣接枠状領域の外周を外周領域として画定する外周領域画定ステップと、
既存オブジェクトの次に描画された新しい描画線の移動先位置を認識する移動先位置認識ステップと、
前記単位矩形ブロックの位置と前記移動先位置認識手段で認識された移動先位置との相関に基づいて既存オブジェクトを確定オブジェクトとして確定するオブジェクト確定ステップとを備えること
を特徴とする描画線処理方法。
【請求項１１】
タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムでの描画線処理方法をコンピュータに実行させるコンピュータプログラムであって、
コンピュータに、タッチペンで描画された描画線を既存オブジェクトとして認識する既存オブジェクト認識ステップを実行させ、
コンピュータに、前記既存オブジェクト認識ステップで認識した既存オブジェクトの上下左右に想定外接線を適用して既存オブジェクトを囲む単位矩形ブロックを画定し該単位矩形ブロックに隣接する矩形状の隣接矩形ブロックを前記単位矩形ブロックの周囲に行列状に配置して隣接枠状領域を画定する隣接枠状領域画定ステップを実行させ、
コンピュータに、前記隣接枠状領域の外周を外周領域として画定する外周領域画定ステップを実行させ、
コンピュータに、既存オブジェクトの次に描画された新しい描画線の移動先位置を認識する移動先位置認識ステップを実行させ、
コンピュータに、前記単位矩形ブロックの位置と前記移動先位置認識手段で認識された移動先位置との相関に基づいて既存オブジェクトを確定オブジェクトとして確定するオブジェクト確定ステップを実行させること
を特徴とするコンピュータプログラム。
【発明の詳細な説明】
【技術分野】
【０００１】
本発明は、タッチパネルに重畳されタッチパネルが検出した描画線を表示する表示装置と、タッチパネルに描画された描画線に対する処理を施して表示装置に描画線を表示させる制御装置とを備える情報処理システム、このような情報処理システムでの描画線処理方法、およびこのような描画処理方法をコンピュータに実行させるコンピュータプログラムに関する。
【背景技術】
【０００２】
電子白板などに手書きで入力（描画）したデータ（描画線）を表示装置としての電子白板に表示する技術が知られている。
【０００３】
従来の電子白板では、手書きで入力した描画線を確定するとき、ユーザは、描画したい文字の入力が終了した時点で入力終了ボタンを押し、手書き入力モードを終了する。続いて、手書き入力モードで入力した線図の領域を選択し、選択した領域を最終的に表示させたい場所に貼り付ける。
【０００４】
このような従来例は、例えば、特許文献１に開示されている。この従来例によれば、手書き入力モードと表示態様との間でモードを切り替える必要があり、操作が複雑で時間が掛かるといった問題があった。また、操作者にとって操作がわずらわしく自然な手書き入力ができないという問題があった。
【特許文献１】特開２００２−２７８７００号公報
【発明の開示】
【発明が解決しようとする課題】
【０００５】
本発明はこのような状況に鑑みてなされたものであり、タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムであって、タッチペンで描画された描画線を既存オブジェクトとして認識する既存オブジェクト認識手段と、既存オブジェクトの次に描画された新しい描画線の移動先位置を認識する移動先位置認識手段と、既存オブジェクトに対応させて求めた単位矩形ブロックの位置と移動先位置認識手段で認識された移動先位置との相関に基づいて既存オブジェクトを確定オブジェクトとして確定するオブジェクト確定手段とを備えることによって、使用者の操作によることなく描画状態に応じて既存オブジェクトを容易かつ高精度に確定オブジェクトとして確定することができ、操作性（使用感）に優れた描画オブジェクト確定処理機能を有する情報処理システムを提供することを目的とする。
【０００６】
また、本発明は、タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムでの描画線処理方法に関し、タッチペンで描画された描画線を既存オブジェクトとして認識する既存オブジェクト認識ステップと、既存オブジェクト認識ステップで認識した既存オブジェクトの上下左右に想定外接線を適用して既存オブジェクトを囲む単位矩形ブロックを画定し単位矩形ブロックに隣接する矩形状の隣接矩形ブロックを単位矩形ブロックの周囲に行列状に配置して隣接枠状領域を画定する隣接枠状領域画定ステップと、隣接枠状領域の外周を外周領域として画定する外周領域画定ステップと、既存オブジェクトの次に描画された新しい描画線の移動先位置を認識する移動先位置認識ステップと、単位矩形ブロックの位置と移動先位置認識手段で認識された移動先位置との相関に基づいて既存オブジェクトを確定オブジェクトとして確定するオブジェクト確定ステップとを備えることによって、使用者の操作によることなく描画状態に応じて既存オブジェクトを容易かつ高精度に確定オブジェクトとして確定することができ、操作性（使用感）に優れた描画オブジェクト確定処理が可能な描画線処理方法を提供することを他の目的とする。
【０００７】
また、本発明は、本発明に係る描画線処理方法をコンピュータに実行させるコンピュータプログラムとすることによって、使用者の操作によることなく描画状態に応じて既存オブジェクトを容易かつ高精度に確定オブジェクトとして確定することができ、操作性（使用感）に優れた描画オブジェクト確定処理が可能な描画線処理方法をコンピュータに実行させるコンピュータプログラムを提供することを他の目的とする。
【課題を解決するための手段】
【０００８】
本発明に係る情報処理システムは、タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムであって、タッチペンで描画された描画線を既存オブジェクトとして認識する既存オブジェクト認識手段と、該既存オブジェクト認識手段で認識した既存オブジェクトの上下左右に想定外接線を適用して既存オブジェクトを囲む単位矩形ブロックを画定し該単位矩形ブロックに隣接する矩形状の隣接矩形ブロックを前記単位矩形ブロックの周囲に行列状に配置して隣接枠状領域を画定する隣接枠状領域画定手段と、前記隣接枠状領域の外周を外周領域として画定する外周領域画定手段と、既存オブジェクトの次に描画された新しい描画線の移動先位置を認識する移動先位置認識手段と、前記単位矩形ブロックの位置と前記移動先位置認識手段で認識された移動先位置との相関に基づいて既存オブジェクトを確定オブジェクトとして確定するオブジェクト確定手段とを備えることを特徴とする。
【０００９】
この構成により、既存オブジェクトを囲む単位矩形ブロックを基準として既存オブジェクトの次に描画された新しい描画線の移動先位置を認識し、単位矩形ブロックと認識した移動先位置との相関に応じて既存オブジェクトを確定オブジェクトとして確定することが可能となることから、使用者の操作によることなく描画状態に応じて既存オブジェクトを容易かつ高精度に確定オブジェクトとして確定することができ、操作性に優れた描画オブジェクト確定処理機能を有する情報処理システムとすることができる。
【００１０】
本発明に係る情報処理システムでは、前記移動先位置認識手段で認識した新しい描画線の移動先位置が前記外周領域にあるとき、前記オブジェクト確定手段は、既存オブジェクトを確定オブジェクトとして確定する構成としてあることを特徴とする。
【００１１】
この構成により、既存オブジェクトが囲まれる単位矩形ブロックの周囲の隣接枠状領域を越えて新しい描画線が認識されたときは、新しい描画線は既存オブジェクトと異なる新規な描画線であるとして既存オブジェクトを確定オブジェクトとして確定することが可能となり、容易かつ円滑に既存オブジェクトを確定することが可能となる。
【００１２】
本発明に係る情報処理システムでは、前記移動先位置認識手段で認識した新しい描画線の移動先位置が前記隣接枠状領域の上側行に対応する前記隣接矩形ブロックにあるとき、前記オブジェクト確定手段は、既存オブジェクトを確定オブジェクトとして確定する構成としてあることを特徴とする。
【００１３】
この構成により、新しい描画線は既存オブジェクトと異なる新規な描画線であるとして既存オブジェクトを確定オブジェクトとして確定することが可能となり、容易かつ円滑に既存オブジェクトを確定することが可能となる。
【００１４】
本発明に係る情報処理システムでは、言語が記述される方向を認識する言語記述方向認識手段を備え、描画線で表された言語が右方向へ記述される言語であると前記言語記述方向認識手段によって認識された場合に、前記移動先位置認識手段で認識した新しい描画線の移動先位置が前記隣接枠状領域の左側列に対応する前記隣接矩形ブロックにあるとき、前記オブジェクト確定手段は、既存オブジェクトを確定オブジェクトとして確定する構成としてあることを特徴とする。
【００１５】
この構成により、例えば日本語のように横書きの場合に右方向へ記述される言語に対して容易かつ円滑に既存オブジェクトを確定することが可能となる。
【００１６】
本発明に係る情報処理システムでは、前記移動先位置認識手段で認識した新しい描画線の移動先位置が前記隣接枠状領域の上側行および左側列の前記隣接矩形ブロックを除く他の前記隣接矩形ブロックまたは前記単位矩形ブロックにあるとき、前記オブジェクト確定手段は、既存オブジェクトを確定オブジェクトとして確定することを留保し、前記既存オブジェクト認識手段は、新しい描画線を既存オブジェクトに加えて新たな既存オブジェクトとする構成としてあることを特徴とする。
【００１７】
この構成により、継続的に入力された新しい描画線を既存オブジェクトに加え新たな既存オブジェクトとすることから、継続して円滑に既存オブジェクトを認識することが可能となる。
【００１８】
本発明に係る情報処理システムでは、言語が記述される方向を認識する言語記述方向認識手段を備え、描画線で表された言語が左方向へ記述される言語であると前記言語記述方向認識手段によって認識された場合に、前記移動先位置認識手段で認識した新しい描画線の移動先位置が前記隣接枠状領域の右側列に対応する前記隣接矩形ブロックにあるとき、前記オブジェクト確定手段は、既存オブジェクトを確定オブジェクトとして確定する構成としてあることを特徴とする。
【００１９】
この構成により、左方向へ記述される言語に対して容易かつ円滑に既存オブジェクトを確定することが可能となる。
【００２０】
本発明に係る情報処理システムでは、前記移動先位置認識手段で認識した新しい描画線の移動先位置が前記隣接枠状領域の上側行および右側列の前記隣接矩形ブロックを除く他の前記隣接矩形ブロックまたは前記単位矩形ブロックにあるとき、前記オブジェクト確定手段は、既存オブジェクトを確定オブジェクトとして確定することを留保し、前記既存オブジェクト認識手段は、新しい描画線を既存オブジェクトに加えて新たな既存オブジェクトとする構成としてあることを特徴とする。
【００２１】
この構成により、継続的に入力された新しい描画線を既存オブジェクトに加え新たな既存オブジェクトとすることから、継続して円滑に既存オブジェクトを認識することが可能となる。
【００２２】
本発明に係る情報処理システムでは、確定した確定オブジェクトを記憶する確定オブジェクト記憶手段を備え、前記オブジェクト確定手段は、確定した確定オブジェクトを前記確定オブジェクト記憶手段に記憶させる構成としてあることを特徴とする。
【００２３】
この構成により、確定した確定オブジェクトを記憶しておくことから、信頼性が高く操作性の良い情報処理システムとすることが可能となる。
【００２４】
本発明に係る情報処理システムでは、既存オブジェクトと想定外接線との間隔を調整する外接線調整手段を備えることを特徴とする。
【００２５】
この構成により、操作性を向上させ、高精度に既存オブジェクトを確定することが可能となる。
【００２６】
本発明に係る描画線処理方法は、タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムでの描画線処理方法であって、タッチペンで描画された描画線を既存オブジェクトとして認識する既存オブジェクト認識ステップと、該既存オブジェクト認識ステップで認識した既存オブジェクトの上下左右に想定外接線を適用して既存オブジェクトを囲む単位矩形ブロックを画定し該単位矩形ブロックに隣接する矩形状の隣接矩形ブロックを前記単位矩形ブロックの周囲に行列状に配置して隣接枠状領域を画定する隣接枠状領域画定ステップと、前記隣接枠状領域の外周を外周領域として画定する外周領域画定ステップと、既存オブジェクトの次に描画された新しい描画線の移動先位置を認識する移動先位置認識ステップと、前記単位矩形ブロックの位置と前記移動先位置認識手段で認識された移動先位置との相関に基づいて既存オブジェクトを確定オブジェクトとして確定するオブジェクト確定ステップとを備えることを特徴とする。
【００２７】
この構成により、既存オブジェクトを囲む単位矩形ブロックを基準として既存オブジェクトの次に描画された新しい描画線の移動先位置を認識し、単位矩形ブロックと認識した移動先位置との相関に応じて既存オブジェクトを確定オブジェクトとして確定することが可能となることから、使用者の操作によることなく描画状態に応じて既存オブジェクトを容易かつ高精度に確定オブジェクトとして確定することができ、操作性に優れた描画オブジェクト確定処理が可能な描画線処理方法とすることができる。
【００２８】
本発明に係るコンピュータプログラムは、タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムでの描画線処理方法をコンピュータに実行させるコンピュータプログラムであって、コンピュータに、タッチペンで描画された描画線を既存オブジェクトとして認識する既存オブジェクト認識ステップを実行させ、コンピュータに、前記既存オブジェクト認識ステップで認識した既存オブジェクトの上下左右に想定外接線を適用して既存オブジェクトを囲む単位矩形ブロックを画定し該単位矩形ブロックに隣接する矩形状の隣接矩形ブロックを前記単位矩形ブロックの周囲に行列状に配置して隣接枠状領域を画定する隣接枠状領域画定ステップを実行させ、コンピュータに、前記隣接枠状領域の外周を外周領域として画定する外周領域画定ステップを実行させ、コンピュータに、既存オブジェクトの次に描画された新しい描画線の移動先位置を認識する移動先位置認識ステップを実行させ、コンピュータに、前記単位矩形ブロックの位置と前記移動先位置認識手段で認識された移動先位置との相関に基づいて既存オブジェクトを確定オブジェクトとして確定するオブジェクト確定ステップを実行させることを特徴とする。
【００２９】
この構成により、本発明に係る描画線処理方法を極めて容易、高精度、迅速に実行させることが可能となる。
【発明の効果】
【００３０】
本発明に係る情報処理システムによれば、タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムであって、タッチペンで描画された描画線を既存オブジェクトとして認識する既存オブジェクト認識手段と、既存オブジェクト認識手段で認識した既存オブジェクトの上下左右に想定外接線を適用して既存オブジェクトを囲む単位矩形ブロックを画定し単位矩形ブロックに隣接する矩形状の隣接矩形ブロックを単位矩形ブロックの周囲に行列状に配置して隣接枠状領域を画定する隣接枠状領域画定手段と、隣接枠状領域の外周を外周領域として画定する外周領域画定手段と、既存オブジェクトの次に描画された新しい描画線の移動先位置を認識する移動先位置認識手段と、単位矩形ブロックの位置と移動先位置認識手段で認識された移動先位置との相関に基づいて既存オブジェクトを確定オブジェクトとして確定するオブジェクト確定手段とを備えることから、既存オブジェクトを囲む単位矩形ブロックを基準として既存オブジェクトの次に描画された新しい描画線の移動先位置を認識し、単位矩形ブロックと認識した移動先位置との相関に応じて既存オブジェクトを確定オブジェクトとして確定することが可能となり、使用者の操作によることなく描画状態に応じて既存オブジェクトを容易かつ高精度に確定オブジェクトとして確定することができ、操作性に優れた描画オブジェクト確定処理機能を有する情報処理システムとすることができるという効果を奏する。
【００３１】
本発明に係る描画線処理方法によれば、タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムでの描画線処理方法であって、タッチペンで描画された描画線を既存オブジェクトとして認識する既存オブジェクト認識ステップと、既存オブジェクト認識ステップで認識した既存オブジェクトの上下左右に想定外接線を適用して既存オブジェクトを囲む単位矩形ブロックを画定し単位矩形ブロックに隣接する矩形状の隣接矩形ブロックを単位矩形ブロックの周囲に行列状に配置して隣接枠状領域を画定する隣接枠状領域画定ステップと、隣接枠状領域の外周を外周領域として画定する外周領域画定ステップと、既存オブジェクトの次に描画された新しい描画線の移動先位置を認識する移動先位置認識ステップと、単位矩形ブロックの位置と移動先位置認識手段で認識された移動先位置との相関に基づいて既存オブジェクトを確定オブジェクトとして確定するオブジェクト確定ステップとを備えることから、既存オブジェクトを囲む単位矩形ブロックを基準として既存オブジェクトの次に描画された新しい描画線の移動先位置を認識し、単位矩形ブロックと認識した移動先位置との相関に応じて既存オブジェクトを確定オブジェクトとして確定することが可能となり、使用者の操作によることなく描画状態に応じて既存オブジェクトを容易かつ高精度に確定オブジェクトとして確定することができ、操作性（使用感）に優れた描画オブジェクト確定処理が可能な描画線処理方法とすることができるという効果を奏する。
【００３２】
本発明に係るコンピュータプログラムによれば、タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムでの描画線処理方法をコンピュータに実行させるコンピュータプログラムであって、コンピュータに、タッチペンで描画された描画線を既存オブジェクトとして認識する既存オブジェクト認識ステップを実行させ、コンピュータに、既存オブジェクト認識ステップで認識した既存オブジェクトの上下左右に想定外接線を適用して既存オブジェクトを囲む単位矩形ブロックを画定し単位矩形ブロックに隣接する矩形状の隣接矩形ブロックを単位矩形ブロックの周囲に行列状に配置して隣接枠状領域を画定する隣接枠状領域画定ステップを実行させ、コンピュータに、隣接枠状領域の外周を外周領域として画定する外周領域画定ステップを実行させ、コンピュータに、既存オブジェクトの次に描画された新しい描画線の移動先位置を認識する移動先位置認識ステップを実行させ、コンピュータに、単位矩形ブロックの位置と移動先位置認識手段で認識された移動先位置との相関に基づいて既存オブジェクトを確定オブジェクトとして確定するオブジェクト確定ステップを実行させることから、本発明に係る描画線処理方法を極めて容易、高精度、迅速に実行させることが可能となり、使用者の操作によることなく描画状態に応じて既存オブジェクトを容易かつ高精度に確定オブジェクトとして確定することができ、操作性（使用感）に優れた描画オブジェクト確定処理が可能な描画線処理方法をコンピュータに実行させるコンピュータプログラムとすることができるという効果を奏する。
【発明を実施するための最良の形態】
【００３３】
以下、本発明の実施の形態を図面に基づいて説明する。
【００３４】
＜実施の形態１＞
図１および図２に基づいて、本実施の形態に係る情報処理システムの主要概略構成と概略機能について説明する。
【００３５】
図１は、本発明の実施の形態１に係る情報処理システムの主要概略構成と概略機能を順次拡大して示す機能説明図である。
【００３６】
図２は、本発明の実施の形態１に係る情報処理システムの主要構成ブロックを示す主要構成ブロック図である。
【００３７】
本実施の形態に係る情報処理システム１は、タッチペン１５によって描画された描画線（ＯＴＬ）を検出するタッチパネル１０と、タッチパネル１０に重畳されタッチパネル１０が検出した描画線ＯＴＬを表示する表示装置２０と、タッチパネル１０に描画された描画線ＯＴＬに対する処理を施して表示装置２０に描画線ＯＴＬを表示させる制御装置３０とを備える。
【００３８】
なお、以下では説明の便宜上、描画されて表示される前の描画線（ＯＴＬ）と、表示された描画線ＯＴＬとを区別せずに単に描画線ＯＴＬとして記載することがある。図１では、例えばひらがな「の」が描画線ＯＴＬとして描画され、表示された状態を示している。
【００３９】
同図では、タッチパネル１０と表示装置２０とは大きさを変えて表示しているが、１対１で重畳されていることから実質上同一の面積を有する。なお、同図では、説明の便宜上表示画面２２を２段階で拡大して示している。
【００４０】
タッチペン１５で、ひらがな「の」がタッチパネル１０の表面に描画されるとタッチパネル１０が備えるタッチセンサー１１によって描画線ＯＴＬとして検出され、インターフェイス１２を介して描画線ＯＴＬの情報が制御装置３０に伝送される。
【００４１】
制御装置３０に伝送された描画線ＯＴＬとしてのひらがな「の」に関する情報は、制御装置３０が備える制御部３１によって処理され、表示画面２２で表示する描画線ＯＴＬとしての情報がインターフェイス２１を介して表示画面２２へ伝送され、表示装置２０（表示画面２２）に描画線ＯＴＬとしてのひらがな「の」が表示される。
【００４２】
また、表示装置２０への表示に併せて既存オブジェクト認識手段３２は、タッチペン１５で描画された描画線ＯＴＬを既存オブジェクトＯＴＥとして認識する構成としてある。
【００４３】
さらに、図１の拡大図では既存オブジェクト認識手段３２によって認識された既存オブジェクトＯＴＥとしてのひらがな「の」の上下左右で外接する想定外接線ＣＬ（左側で外接する左側想定外接線ＣＬ１、右側で外接する右側想定外接線ＣＬ２、上側で外接する上側想定外接線ＣＬ３、下側で外接する下側想定外接線ＣＬ４。以下、左側想定外接線ＣＬ１、右側想定外接線ＣＬ２、上側想定外接線ＣＬ３、下側想定外接線ＣＬ４を特に区別する必要がない場合には、単に想定外接線ＣＬとすることがある。）を示している。
【００４４】
なお、想定外接線ＣＬは、描画線ＯＴＬを認識して抽出された既存オブジェクトＯＴＥに対して後述する処理を施すために情報処理システム１の内部で適用されるものであり、実際の表示画面２２に表示されるわけではない。
【００４５】
４方向に想定された想定外接線ＣＬによって、既存オブジェクトＯＴＥに対応する単位矩形ブロック２４が画定される。また、単位矩形ブロック２４の周囲に隣接させて単位矩形ブロック２４に対して例えば同形状として矩形状の隣接矩形ブロック２５（隣接矩形ブロック２５ａ、隣接矩形ブロック２５ｂ、隣接矩形ブロック２５ｃ、隣接矩形ブロック２５ｄ、隣接矩形ブロック２５ｅ、隣接矩形ブロック２５ｆ、隣接矩形ブロック２５ｇ、隣接矩形ブロック２５ｈ）を行列状に配置して行列の中央の単位矩形ブロック２４を除いた枠状の隣接枠状領域２６が画定される。
【００４６】
隣接枠状領域２６は、行列の上側行を構成する隣接矩形ブロック２５ａ、隣接矩形ブロック２５ｂ、隣接矩形ブロック２５ｃ、行列の左側列を構成する隣接矩形ブロック２５ａ（上側行と重複）、隣接矩形ブロック２５ｄ、隣接矩形ブロック２５ｆ、行列の右側列を構成する隣接矩形ブロック２５ｃ（上側行と重複）、隣接矩形ブロック２５ｅ、隣接矩形ブロック２５ｈ、行列の下側行を構成する隣接矩形ブロック２５ｆ（左側列と重複）、隣接矩形ブロック２５ｇ、隣接矩形ブロック２５ｈ（右側列と重複）で構成される。
【００４７】
なお、単位矩形ブロック２４、隣接矩形ブロック２５、隣接枠状領域２６は、想定外接線ＣＬを適用して描画線ＯＴＬ（既存オブジェクトＯＴＥ）に対して後述する処理を施すために画定されるものであり、想定外接線ＣＬと同様、実際の表示画面２２に表示されるわけではない。
【００４８】
また、隣接枠状領域２６の外周は、外周領域２７として画定される。外周領域２７も、想定外接線ＣＬ、単位矩形ブロック２４、隣接矩形ブロック２５、隣接枠状領域２６と同様、実際の表示画面２２にその旨の表示がされるわけではない。
【００４９】
図２で示すとおり、制御装置３０は、ＣＰＵ（Ｃｅｎｔｒａｌ  Ｐｒｏｃｅｓｓｉｎｇ  Ｕｎｉｔ：中央処理装置）で構成される制御部３１を備え、制御部３１は、バス３１ｂを介して既存オブジェクト認識手段３２、隣接枠状領域画定手段３３、外周領域画定手段３４、移動先位置認識手段３５、オブジェクト確定手段３６、言語記述方向認識手段３７、確定オブジェクト記憶手段３８、外接線調整手段３９と連携して動作する構成としてある。
【００５０】
制御部３１は、図示しないプログラム記憶部に予めインストールされたコンピュータプログラムに従って、既存オブジェクト認識手段３２、隣接枠状領域画定手段３３、外周領域画定手段３４、移動先位置認識手段３５、オブジェクト確定手段３６、言語記述方向認識手段３７、確定オブジェクト記憶手段３８、外接線調整手段３９を機能させ、後述する処理を実行する構成としてある。つまり、制御装置３０（制御部３１）は、コンピュータとして構成することが可能である。
【００５１】
上述したとおり、既存オブジェクト認識手段３２は、タッチペン１５で描画された描画線ＯＴＬを既存オブジェクトＯＴＥとして認識する。この段階では、描画線ＯＴＬは、未確定の状態で表示されている。
【００５２】
また、隣接枠状領域画定手段３３は、既存オブジェクト認識手段３２で認識した既存オブジェクトＯＴＥの上下左右に想定外接線ＣＬ（左側想定外接線ＣＬ１、右側想定外接線ＣＬ２、上側想定外接線ＣＬ３、下側想定外接線ＣＬ４）を適用して既存オブジェクトＯＴＥ（例えばひらがなで描画した「の」が認識されて既存オブジェクトＯＴＥとして設定される。）を囲む単位矩形ブロック２４を画定する。
【００５３】
さらに、隣接枠状領域画定手段３３は、単位矩形ブロック２４に隣接する矩形状の隣接矩形ブロック２５（隣接矩形ブロック２５ａ、隣接矩形ブロック２５ｂ、隣接矩形ブロック２５ｃ、隣接矩形ブロック２５ｄ、隣接矩形ブロック２５ｅ、隣接矩形ブロック２５ｆ、隣接矩形ブロック２５ｇ、隣接矩形ブロック２５ｈ）を単位矩形ブロック２４の周囲に行列状に配置して隣接枠状領域２６（隣接矩形ブロック２５ａ、隣接矩形ブロック２５ｂ、隣接矩形ブロック２５ｃ、隣接矩形ブロック２５ｄ、隣接矩形ブロック２５ｅ、隣接矩形ブロック２５ｆ、隣接矩形ブロック２５ｇ、隣接矩形ブロック２５ｈで構成される。）を画定する。
【００５４】
なお、隣接矩形ブロック２５の大きさは、単位矩形ブロック２４と同一形状としても良く、あるいは異なる形状としても良い。処理精度などを考慮して適宜設定することが可能である。隣接矩形ブロック２５の大きさを単位矩形ブロック２４に対して異ならせることによって隣接枠状領域２６の形状を適宜調整することが可能となり、処理精度を調整することができる。
【００５５】
外周領域画定手段３４は、隣接枠状領域２６の設定に併せて表示画面２２での隣接枠状領域２６の外周を外周領域２７として画定する。
【００５６】
移動先位置認識手段３５は、既存オブジェクトＯＴＥの次に描画された新しい描画線の移動先位置を認識する。オブジェクト確定手段３６は、単位矩形ブロック２４の位置と移動先位置認識手段３５で認識された移動先位置との相関に基づいて既存オブジェクトＯＴＥを確定オブジェクトＯＴＤ（図４Ｃ、図５Ｇ参照）として確定する。移動先位置認識手段３５、オブジェクト確定手段３６の機能は、実施の形態２でさらに説明する。
【００５７】
言語記述方向認識手段３７は、言語が記述される方向を認識することから、言語の種別（例えば日本語のように右方向へ横書きされる言語、あるいは逆に左方向へ横書きされる言語）に応じた処理を実行することが可能となる。また、確定オブジェクト記憶手段３８は、オブジェクト確定手段３６によって確定された確定オブジェクトＯＴＤを記憶する。外接線調整手段３９は、既存オブジェクトＯＴＥと想定外接線ＣＬとの間隔を調整し、操作性と精度を向上させることが可能である。言語記述方向認識手段３７、確定オブジェクト記憶手段３８、外接線調整手段３９の機能は、実施の形態２でさらに説明する。
【００５８】
本実施の形態に係る情報処理システム１は、既存オブジェクト認識手段３２、隣接枠状領域画定手段３３、外周領域画定手段３４、移動先位置認識手段３５、オブジェクト確定手段３６を備えることから、既存オブジェクトＯＴＥを囲む単位矩形ブロック２４を基準として既存オブジェクトＯＴＥの次に描画された新しい描画線の移動先位置を認識し、単位矩形ブロック２４と認識した移動先位置との相関に応じて既存オブジェクトＯＴＥを確定オブジェクトＯＴＤとして確定することが可能となることから、使用者の操作によることなく描画状態に応じて既存オブジェクトＯＴＥを容易かつ高精度に確定オブジェクトＯＴＤとして確定することができ、操作性に優れた描画オブジェクト確定処理機能を有する情報処理システム１とすることができる。
【００５９】
なお、本実施の形態に係る制御装置３０は、タッチパネル１０および表示装置２０に対して分離された形態としてあるが、情報処理システム１として一体化することが可能である。
【００６０】
＜実施の形態２＞
図３Ａないし図３Ｃ、図４Ａないし図４Ｃ、図５Ａないし図５Ｇに基づいて、本実施の形態に係る情報処理システム、描画線処理方法（コンピュータプログラム）の処理フローについて説明する。つまり、実施の形態１に係る情報処理システム１（情報処理システム１での描画線処理方法）の処理フローを実施の形態２として説明する。したがって、図１、図２で示した符号を適用して説明する。
【００６１】
図３Ａないし図３Ｃは、本発明の実施の形態２に係る情報処理システムで描画線に基づいて認識した既存オブジェクトを確定オブジェクトとして確定するときの処理フローを示すフローチャートである。
【００６２】
なお、以下の処理フロー（ステップＳ１０ないしステップＳ３４）は、制御装置３０（制御部３１）に予めインストールされたコンピュータプログラムによって実行することが可能である。
【００６３】
ステップＳ１０：
タッチペン１５によってタッチパネル１０に描画され、確定オブジェクトＯＴＤとして確定される前の描画線ＯＴＬを既存オブジェクト認識手段３２によって既存オブジェクトＯＴＥとして認識する（既存オブジェクト認識ステップ）。
【００６４】
ステップＳ１１：
隣接枠状領域画定手段３３によって単位矩形ブロック２４を画定する。つまり、既存オブジェクト認識手段３２で認識した既存オブジェクトＯＴＥの上下左右に想定外接線ＣＬ（左側想定外接線ＣＬ１、右側想定外接線ＣＬ２、上側想定外接線ＣＬ３、下側想定外接線ＣＬ４）を適用して既存オブジェクトＯＴＥ（例えばひらがなで描画した「の」が認識されて既存オブジェクトＯＴＥとして設定される。）を囲む単位矩形ブロック２４を画定する（隣接枠状領域画定ステップでの単位矩形ブロック２４画定ステップ）。
【００６５】
ステップＳ１２：
隣接枠状領域画定手段３３によって隣接枠状領域２６を画定する（隣接枠状領域画定ステップ）。つまり、単位矩形ブロック２４に隣接する矩形状の隣接矩形ブロック２５（隣接矩形ブロック２５ａ、隣接矩形ブロック２５ｂ、隣接矩形ブロック２５ｃ、隣接矩形ブロック２５ｄ、隣接矩形ブロック２５ｅ、隣接矩形ブロック２５ｆ、隣接矩形ブロック２５ｇ、隣接矩形ブロック２５ｈ）を単位矩形ブロック２４の周囲に行列状に配置して隣接枠状領域２６（隣接矩形ブロック２５ａ、隣接矩形ブロック２５ｂ、隣接矩形ブロック２５ｃ、隣接矩形ブロック２５ｄ、隣接矩形ブロック２５ｅ、隣接矩形ブロック２５ｆ、隣接矩形ブロック２５ｇ、隣接矩形ブロック２５ｈで構成される。）を画定する。
【００６６】
なお、隣接枠状領域２６の形状は、単位矩形ブロック２４に対して隣接矩形ブロック２５の大きさを適宜異ならせることによって変更することが可能であり、処理精度を調整することが可能となる。
【００６７】
隣接枠状領域２６の画定に併せて、隣接枠状領域画定手段３３によって外周領域２７を画定する。つまり、表示画面２２の中で隣接枠状領域２６の外側を外周領域２７として画定する（外周領域画定ステップ）。
【００６８】
ステップＳ１３：
既存オブジェクトＯＴＥ（ひらがな「の」）の次に描画された新しい描画線（ＯＴＬ：ひらがな「の」の次の描画線としては不図示）の移動先位置（つまり、ひらがな「の」次に描画された描画線の位置）を移動先位置認識手段３５によって認識する。なお、新しい描画線の移動先位置は、タッチペン１５の移動先である。
【００６９】
ステップＳ１４：
移動先位置認識手段３５によって認識された新しい描画線の移動先位置について判定する（移動先位置認識ステップ）。本ステップでは、移動先位置が外周領域２７にあるか否かを判定する。
【００７０】
移動先位置が外周領域２７にある場合（ステップＳ１４：ＹＥＳ）は、ステップＳ１５へ移行する。移動先位置が外周領域２７にない場合（ステップＳ１４：ＮＯ）は、ステップＳ２０へ移行する。
【００７１】
ステップＳ１５：
オブジェクト確定手段３６によって既存オブジェクトＯＴＥを確定オブジェクトＯＴＤとして確定する（オブジェクト確定ステップ）。つまり、移動先位置認識手段３５で認識した新しい描画線の移動先位置が外周領域２７にあるとき、オブジェクト確定手段３６は、既存オブジェクトＯＴＥを確定オブジェクトＯＴＤとして確定する構成としてある。
【００７２】
したがって、既存オブジェクトＯＴＥが囲まれる単位矩形ブロック２４の周囲の隣接枠状領域２６を越えて新しい描画線が認識されたときは、新しい描画線は既存オブジェクトＯＴＥと異なる新規な描画線であるとして既存オブジェクトＯＴＥを確定オブジェクトＯＴＤとして確定することが可能となり、容易かつ円滑に既存オブジェクトＯＴＥを確定することが可能となる。
【００７３】
つまり、新しく描画された描画線は、既存オブジェクトＯＴＥに対する空白が大きいと判断されることから、既存オブジェクトＯＴＥとは別の描画線であると判定し、既存オブジェクトＯＴＥを確定オブジェクトＯＴＤとして確定する。
【００７４】
また、確定した確定オブジェクトＯＴＤを記憶する確定オブジェクト記憶手段３８を備えることから、本ステップに併せて、オブジェクト確定手段３６は、確定した確定オブジェクトＯＴＤを確定オブジェクト記憶手段３８に記憶させる構成としてある。したがって、確定した確定オブジェクトＯＴＤを記憶しておくことから、信頼性が高く操作性の良い情報処理システム１とすることが可能となる。
【００７５】
ステップＳ１６：
ステップＳ１５での確定処理を実行した後、描画は終了されるか否かを判定する。終了される場合（ステップＳ１６：ＹＥＳ）は、ステップＳ１７へ移行する。終了されない場合（ステップＳ１６：ＮＯ）は、ステップＳ１０へ戻る。ステップＳ１０に戻った場合は、新しく描画された描画線が、既存オブジェクト認識手段３２によって既存オブジェクトＯＴＥとして認識される。
【００７６】
ステップＳ１７：
終了処理を施して終了する。このとき、最後に描画した描画線に対する処理が必要であれば適宜の処理を施す。例えば、確定オブジェクトＯＴＤとして確定する必要があればオブジェクト確定手段３６によって確定処理を施す。また、最後に描画した描画線に対する処理が不要であれば処理を終了する。
【００７７】
ステップＳ２０：
移動先位置認識手段３５によって認識された新しい描画線の移動先位置が、外周領域２７にない（ステップＳ１４：ＮＯ）と判定された場合の移動先位置について判定する（移動先位置認識ステップ）。本ステップでは、移動先位置が隣接枠状領域２６の上側行に対応する隣接矩形ブロック２５（隣接矩形ブロック２５ａ、隣接矩形ブロック２５ｂ、隣接矩形ブロック２５ｃ）にあるか否かを判定する。
【００７８】
移動先位置が隣接矩形ブロック２５ａ、隣接矩形ブロック２５ｂ、隣接矩形ブロック２５ｃにある場合（ステップＳ２０：ＹＥＳ）は、ステップＳ２１へ移行する。移動先位置が隣接矩形ブロック２５ａ、隣接矩形ブロック２５ｂ、隣接矩形ブロック２５ｃにない場合（ステップＳ２０：ＮＯ）は、ステップＳ２４へ移行する。
【００７９】
ステップＳ２１：
オブジェクト確定手段３６によって、既存オブジェクトＯＴＥを確定オブジェクトＯＴＤとして確定する（オブジェクト確定ステップ）。つまり、移動先位置認識手段３５で認識した新しい描画線の移動先位置が、隣接枠状領域２６の上側行に対応する隣接矩形ブロック２５（隣接矩形ブロック２５ａ、隣接矩形ブロック２５ｂ、隣接矩形ブロック２５ｃ）にあるとき、オブジェクト確定手段３６は、既存オブジェクトＯＴＥを確定オブジェクトＯＴＤとして確定する構成としてある。
【００８０】
したがって、新しい描画線は既存オブジェクトＯＴＥと異なる新規な描画線であるとして既存オブジェクトＯＴＥを確定オブジェクトＯＴＤとして確定することが可能となり、容易かつ円滑に既存オブジェクトＯＴＥを確定することが可能となる。
【００８１】
つまり、新しく描画された描画線は、既存オブジェクトＯＴＥに対して上側に描画されたと判断されることから、既存オブジェクトＯＴＥとは別の描画線であると判定し、既存オブジェクトＯＴＥを確定オブジェクトＯＴＤとして確定する。
【００８２】
また、確定した確定オブジェクトＯＴＤを記憶する確定オブジェクト記憶手段３８を備えることから、本ステップに併せて、オブジェクト確定手段３６は、確定した確定オブジェクトＯＴＤを確定オブジェクト記憶手段３８に記憶させる構成としてある。したがって、確定した確定オブジェクトＯＴＤを記憶しておくことから、信頼性が高く操作性の良い情報処理システム１とすることが可能となる。
【００８３】
ステップＳ２２：
ステップＳ２１での確定処理を実行した後、描画は終了されるか否かを判定する。つまり、ステップＳ１６と同様の処理を行なう。終了される場合（ステップＳ２２：ＹＥＳ）は、ステップＳ２３へ移行する。終了されない場合（ステップＳ２２：ＮＯ）は、ステップＳ１０へ戻る。ステップＳ１０に戻った場合は、新しく描画された描画線が、既存オブジェクト認識手段３２によって既存オブジェクトＯＴＥとして認識される。
【００８４】
ステップＳ２３：
終了処理を施して終了する。つまり、ステップＳ１７と同様の処理を行なう。
【００８５】
ステップＳ２４：
言語が描画される場合に言語が記述される方向を認識する言語記述方向認識手段３７を備えていることから、記述方向（描画方向）を基準にして描画オブジェクト確定処理を施すことが可能である。なお、言語の記述方向は、例えばコンピュータプログラムに適用されるＯＳ（Ｏｐｅｒａｔｉｎｇ  Ｓｙｓｔｅｍ）によって認識することが可能である。
【００８６】
本ステップでは、言語記述方向は、例えば右方向か否かを判定する（言語記述方向認識ステップ）。記述方向が右方向の場合（ステップＳ２４：ＹＥＳ）は、ステップＳ２５へ移行する。記述方向が右方向でない場合（ステップＳ２４：ＮＯ）は、ステップＳ３０へ移行する。
【００８７】
ステップＳ２５：
移動先位置認識手段３５によって認識された新しい描画線の移動先位置が、外周領域２７でもなく（ステップＳ１４：ＮＯ）、隣接枠状領域２６の上側行に対応する隣接矩形ブロック２５（隣接矩形ブロック２５ａ、隣接矩形ブロック２５ｂ、隣接矩形ブロック２５ｃ）でもない（ステップＳ２０：ＮＯ）と判定された場合の移動先位置について判定する（移動先位置認識ステップ）。
【００８８】
つまり、描画線で表された言語が右方向へ記述される言語（例えば日本語、英語）であると言語記述方向認識手段３７によって認識された場合に、移動先位置認識手段３５で認識した新しい描画線の移動先位置が隣接枠状領域２６の左側列に対応する隣接矩形ブロック２５（左側列の隣接矩形ブロック２５ｄ、隣接矩形ブロック２５ｆ。なお、隣接矩形ブロック２５ａは、すでにステップＳ２０で上側行の隣接矩形ブロック２５として確認済みであるので対象外として処理する。）にあるか否かを判定する。
【００８９】
移動先位置が隣接矩形ブロック２５ｄ、隣接矩形ブロック２５ｆにある場合（ステップＳ２５：ＹＥＳ）は、ステップＳ２１へ移行して上述した確定処理を実行する。つまり、ステップＳ２４、ステップＳ２５、およびステップＳ２１の処理によって、例えば日本語のように横書きの場合に右方向へ記述される言語に対して容易かつ円滑に既存オブジェクトＯＴＥを確定することが可能となる。
【００９０】
また、移動先位置が隣接矩形ブロック２５ｄ、隣接矩形ブロック２５ｆにない場合（ステップＳ２５：ＮＯ）は、ステップＳ２６へ移行する。
【００９１】
ステップＳ２６：
移動先位置認識手段３５によって認識された新しい描画線の移動先位置が、外周領域２７でもなく（ステップＳ１４：ＮＯ）、隣接枠状領域２６の上側行および左側列に対応する隣接矩形ブロック２５（隣接矩形ブロック２５ａ、隣接矩形ブロック２５ｂ、隣接矩形ブロック２５ｃ、隣接矩形ブロック２５ｄ、隣接矩形ブロック２５ｆ）でもない（ステップＳ２０：ＮＯ、ステップＳ２５：ＮＯ）と判定された場合のオブジェクト処理を実行する。
【００９２】
つまり、移動先位置認識手段３５で認識した新しい描画線の移動先位置が隣接枠状領域２６の上側行および左側列の隣接矩形ブロック２５（上側行の隣接矩形ブロック２５ａ、２５ｂ、２５ｃ、左側列の隣接矩形ブロック２５ｄ、隣接矩形ブロック２５ｆ。なお、隣接矩形ブロック２５ａは、上側行あるいは左側列のいずれとすることも可能であるが、処理フローの先行する領域を優先し、ここでは上側行として処理してある。）を除く他の隣接矩形ブロック２５（右側列の隣接矩形ブロック２５ｅ、隣接矩形ブロック２５ｈ、下側行の隣接矩形ブロック２５ｇ、隣接矩形ブロック２５ｈ。なお、隣接矩形ブロック２５ｈは、右側列あるいは下側行のいずれとすることも可能であるが、ここでは特にいずれとする必要もない。）または単位矩形ブロック２４にあるとき、オブジェクト確定手段３６は、既存オブジェクトＯＴＥを確定オブジェクトＯＴＤとして確定することを留保し、既存オブジェクト認識手段３２は、新しい描画線を既存オブジェクトＯＴＥに加えて新たな既存オブジェクトＯＴＥとする構成としてある。新たな既存オブジェクトＯＴＥとした後、ステップＳ２２へ移行する。
【００９３】
したがって、継続的に入力された新しい描画線を既存オブジェクトＯＴＥに加えた後、描画を継続する場合はステップＳ２２を経由してステップＳ１０に戻り、新たな既存オブジェクトＯＴＥとして認識することから、継続して円滑に既存オブジェクトＯＴＥを認識することが可能となる。
【００９４】
ステップＳ３０：
ステップＳ２４で、言語が記述される方向は左方向と判定された場合の処理である。つまり、言語が記述される方向を認識する言語記述方向認識手段３７を備え、描画線で表された言語が左方向へ記述される言語であると言語記述方向認識手段３７によって認識された場合での処理である。
【００９５】
移動先位置認識手段３５によって認識された新しい描画線の移動先位置が、外周領域２７でもなく（ステップＳ１４：ＮＯ）、隣接枠状領域２６の上側行に対応する隣接矩形ブロック２５（隣接矩形ブロック２５ａ、隣接矩形ブロック２５ｂ、隣接矩形ブロック２５ｃ）でもない（ステップＳ２０：ＮＯ）と判定された場合の移動先位置について判定する（移動先位置認識ステップ）。
【００９６】
つまり、描画線で表された言語が左方向へ記述される言語であると言語記述方向認識手段３７によって認識された場合に、移動先位置認識手段３５で認識した新しい描画線の移動先位置が隣接枠状領域２６の右側列に対応する隣接矩形ブロック２５（右側列の隣接矩形ブロック２５ｅ、隣接矩形ブロック２５ｈ。なお、隣接矩形ブロック２５ｃは、すでにステップＳ２０で上側行の隣接矩形ブロック２５として確認済みであるので対象外として処理する。）にあるか否かを判定する。
【００９７】
移動先位置が隣接矩形ブロック２５ｅ、隣接矩形ブロック２５ｈにある場合（ステップＳ３０：ＹＥＳ）は、ステップＳ３１へ移行して上述した確定処理を実行する。つまり、ステップＳ２４、およびステップＳ３０の処理によって、例えば横書きの場合に左方向へ記述される言語に対して容易かつ円滑に既存オブジェクトＯＴＥを確定することが可能となる。
【００９８】
ステップＳ３１：
言語記述方向認識手段３７によって左方向へ記述される言語であると言語記述方向認識手段３７によって認識された場合に、移動先位置認識手段３５で認識した新しい描画線の移動先位置が隣接枠状領域２６の右側列に対応する隣接矩形ブロック２５（右側列の隣接矩形ブロック２５ｅ、隣接矩形ブロック２５ｈ）にあるとき、オブジェクト確定手段３６は、既存オブジェクトＯＴＥを確定オブジェクトＯＴＤとして確定する（オブジェクト確定ステップ）。
【００９９】
したがって、左方向へ記述される言語に対して容易かつ円滑に既存オブジェクトＯＴＥを確定することが可能となる。
【０１００】
また、確定した確定オブジェクトＯＴＤを記憶する確定オブジェクト記憶手段３８を備えることから、本ステップに併せて、オブジェクト確定手段３６は、確定した確定オブジェクトＯＴＤを確定オブジェクト記憶手段３８に記憶させる構成としてある。したがって、確定した確定オブジェクトＯＴＤを記憶しておくことから、信頼性が高く操作性の良い情報処理システム１とすることが可能となる。
【０１０１】
ステップＳ３２：
ステップＳ３１で確定処理を実行した後、描画は終了されるか否かを判定する。つまり、ステップＳ２２と同様の処理を行なう。
終了される場合（ステップＳ３２：ＹＥＳ）は、ステップＳ３３へ移行する。終了されない場合（ステップＳ３２：ＮＯ）は、ステップＳ１０へ戻る。ステップＳ１０に戻った場合は、新しく描画された描画線が、既存オブジェクト認識手段３２によって既存オブジェクトＯＴＥとして認識される。
【０１０２】
ステップＳ３３：
終了処理を施して終了する。つまり、ステップＳ１７、Ｓ２３と同様の処理を行なう。
【０１０３】
ステップＳ３４：
移動先位置認識手段３５によって認識された新しい描画線の移動先位置が、外周領域２７でもなく（ステップＳ１４：ＮＯ）、隣接枠状領域２６の上側行および右側列に対応する隣接矩形ブロック２５（隣接矩形ブロック２５ａ、隣接矩形ブロック２５ｂ、隣接矩形ブロック２５ｃ、隣接矩形ブロック２５ｅ、隣接矩形ブロック２５ｈ）でもない（ステップＳ２０：ＮＯ、ステップＳ２５：ＮＯ）と判定された場合のオブジェクト処理を実行する。
【０１０４】
つまり、移動先位置認識手段３５で認識した新しい描画線の移動先位置が隣接枠状領域２６の上側行および右側列の隣接矩形ブロック２５（上側行の隣接矩形ブロック２５ａ、２５ｂ、２５ｃ、右側列の隣接矩形ブロック２５ｅ、隣接矩形ブロック２５ｈ。なお、隣接矩形ブロック２５ｃは、上側行あるいは右側列のいずれとすることも可能であるが、処理フローの先行する領域を優先し、ここでは上側行として処理してある。）を除く他の隣接矩形ブロック２５（左側列の隣接矩形ブロック２５ｄ、隣接矩形ブロック２５ｆ、下側行の隣接矩形ブロック２５ｆ、隣接矩形ブロック２５ｇ。なお、隣接矩形ブロック２５ｆは、左側列あるいは下側行のいずれとすることも可能であるが、ここでは特にいずれとする必要もない。）または単位矩形ブロック２４にあるとき、オブジェクト確定手段３６は、既存オブジェクトＯＴＥを確定オブジェクトＯＴＤとして確定することを留保し、既存オブジェクト認識手段３２は、新しい描画線を既存オブジェクトＯＴＥに加えて新たな既存オブジェクトＯＴＥとする構成としてある。新たな既存オブジェクトＯＴＥとした後、ステップＳ３２へ移行する。
【０１０５】
したがって、継続的に入力された新しい描画線を既存オブジェクトＯＴＥに加えた後、描画を継続する場合はステップＳ３２を経由してステップＳ１０に戻り、新たな既存オブジェクトＯＴＥとして認識することから、継続して円滑に既存オブジェクトＯＴＥを認識することが可能となる。
【０１０６】
図４Ａないし図４Ｃは、本発明の実施の形態２に係る情報処理システムで描画線に基づいて単位矩形ブロック、隣接矩形ブロック、隣接枠状領域を設定する状況を概念的に説明する説明図である。
【０１０７】
図４Ａは、本発明の実施の形態２に係る情報処理システム（表示画面）で描画線としてひらがな「の」が描画された状態を示す説明図である。
【０１０８】
実施の形態１で説明したとおり、タッチペン１５でタッチパネル１０に描画された描画線ＯＴＬ（ひらがな「の」）が、表示画面２２に表示される。
【０１０９】
上述したとおり、既存オブジェクト認識手段３２は、表示画面２２に表示された描画線ＯＴＬを既存オブジェクトＯＴＥとして認識する。
【０１１０】
図４Ｂは、本発明の実施の形態２に係る情報処理システム（表示画面）で既存オブジェクトとしてのひらがな「の」に想定外接線が適用され単位矩形ブロックが画定された状態を示す説明図である。
【０１１１】
実施の形態１、ステップＳ１１で説明したとおり、既存オブジェクトＯＴＥの上下左右に想定外接線ＣＬ（左側想定外接線ＣＬ１、右側想定外接線ＣＬ２、上側想定外接線ＣＬ３、下側想定外接線ＣＬ４）を適用して既存オブジェクトＯＴＥを囲む単位矩形ブロック２４を画定する。
【０１１２】
既存オブジェクトＯＴＥと想定外接線ＣＬとの間隔Ｄｓを調整する外接線調整手段３９を備える。したがって、操作性を向上させ、高精度に既存オブジェクトＯＴＥを確定することが可能となる。なお、外接線調整手段３９に対する指示は制御装置３０が備える適宜の入力装置（不図示）を介して実行することが可能である。
【０１１３】
図４Ｃは、本発明の実施の形態２に係る情報処理システム（表示画面）で既存オブジェクトとしてのひらがな「の」に対して確定された単位矩形ブロックの周囲に隣接矩形ブロックを行列状に配置して隣接枠状領域を画定した状態を示す説明図である。
【０１１４】
実施の形態１、ステップＳ１２で説明したとおり、単位矩形ブロック２４の周囲に矩形状の隣接矩形ブロック２５を行列状に配置して、隣接矩形ブロック２５によって構成される隣接枠状領域２６を画定する。
【０１１５】
隣接矩形ブロック２５の大きさは、単位矩形ブロック２４と同一形状とすることが演算処理を簡略化する上では望ましいが、一定の比率で大きさを異ならせることも可能である。単位矩形ブロック２４に対して隣接矩形ブロック２５の大きさを小さくすれば、確定オブジェクト記憶手段３８による処理は高精度化（微細化）され、単位矩形ブロック２４に対して隣接矩形ブロック２５の大きさを大きくすれば、確定オブジェクト記憶手段３８による処理は容易化（簡略化）される。
【０１１６】
なお、既存オブジェクトＯＴＥは、確定オブジェクト記憶手段３８による確定処理によって確定オブジェクトＯＴＤとされる。
【０１１７】
図５Ａないし図５Ｇは、本発明の実施の形態２に係る情報処理システムで描画線に基づいて単位矩形ブロック、隣接矩形ブロック、隣接枠状領域を設定する状況を他の例に基づいて説明する説明図である。
【０１１８】
図５Ａは、本発明の実施の形態２に係る情報処理システム（表示画面）で描画線としてひらがな「は」の第１画が描画された状態を示す説明図である。
【０１１９】
ひらがな「は」の第１画が描画され、表示された状態を示す。つまり、描画線ＯＴＬ１としての第１画が表示される。
【０１２０】
図５Ｂは、本発明の実施の形態２に係る情報処理システム（表示画面）で描画線としてひらがな「は」の第１画について想定外接線が適用された状態を示す説明図である。
【０１２１】
描画線ＯＴＬ１は、既存オブジェクト認識手段３２によって認識され既存オブジェクトＯＴＥ１とされる。また、既存オブジェクトＯＴＥ１に対して想定外接線ＣＬが適用される。
【０１２２】
図５Ｃは、本発明の実施の形態２に係る情報処理システム（表示画面）で描画線としてひらがな「は」の第１画について単位矩形ブロック、隣接矩形ブロック、隣接枠状領域が画定された状態を示す説明図である。
【０１２３】
ひらがな「は」の第１画（既存オブジェクトＯＴＥ１）に対する想定外接線ＣＬに基づいて、既存オブジェクトＯＴＥ１に対応させて、単位矩形ブロック２４、隣接矩形ブロック２５、隣接枠状領域２６が画定される。
【０１２４】
図５Ｄは、本発明の実施の形態２に係る情報処理システム（表示画面）で描画線としてひらがな「は」の第１画の次に第２画が描画された状態を示す説明図である。
【０１２５】
ひらがな「は」の第２画が描画され、表示された状態を示す。つまり、既存オブジェクトＯＴＥ１の横に描画線ＯＴＬ２としての第２画が表示される。
【０１２６】
描画線ＯＴＬ２は、移動先位置が外周領域２７に対応することから、「既存オブジェクトＯＴＥの次に描画された新しい描画線の移動先位置が外周領域２７にあるとき、確定オブジェクト記憶手段３８は、既存オブジェクトＯＴＥを確定オブジェクトＯＴＤとして確定する」こととなり、既存オブジェクトＯＴＥ１は、確定オブジェクトＯＴＤ１として確定される。
【０１２７】
図５Ｅは、本発明の実施の形態２に係る情報処理システム（表示画面）で描画線としてひらがな「は」の第２画について単位矩形ブロック、隣接矩形ブロック、隣接枠状領域が画定された状態を示す説明図である。
【０１２８】
描画線ＯＴＬ２は、既存オブジェクト認識手段３２によって認識され既存オブジェクトＯＴＥ２とされる。また、ひらがな「は」の第２画（既存オブジェクトＯＴＥ２）に対する想定外接線ＣＬに基づいて、既存オブジェクトＯＴＥ２に対応させて、単位矩形ブロック２４、隣接矩形ブロック２５、隣接枠状領域２６が画定される。
【０１２９】
図５Ｆは、本発明の実施の形態２に係る情報処理システム（表示画面）で描画線としてひらがな「は」の第３画が描画された状態を示す説明図である。
【０１３０】
確定オブジェクトＯＴＤ１、既存オブジェクトＯＴＥ２に次いで、第３画が描画され、表示された状態を示す。つまり、既存オブジェクトＯＴＥ２と交差して描画線ＯＴＬ３としての曲線が表示される。
【０１３１】
描画線ＯＴＬ３の移動先位置は既存オブジェクトＯＴＥ２に対して外周領域２７に対応することから、「既存オブジェクトＯＴＥの次に描画された新しい描画線の移動先位置が外周領域２７にあるとき、確定オブジェクト記憶手段３８は、既存オブジェクトＯＴＥを確定オブジェクトＯＴＤとして確定する」こととなり、既存オブジェクトＯＴＥ２は、確定オブジェクトＯＴＤ２として確定される。
【０１３２】
また、描画線ＯＴＬ３は、既存オブジェクト認識手段３２によって認識され既存オブジェクトＯＴＥ３とされる。
【０１３３】
図５Ｇは、本発明の実施の形態２に係る情報処理システム（表示画面）で描画線としてひらがな「は」の次にひらがな「の」が描画された状態を示す説明図である。
【０１３４】
確定オブジェクトＯＴＤ１、ＯＴＤ２、既存オブジェクトＯＴＥ３に次いで、次のひらがな「の」が描画線ＯＴＬ４として描画された状態を示す。また、既存オブジェクトＯＴＥ３に対応させて、単位矩形ブロック２４、隣接矩形ブロック２５、隣接枠状領域２６が画定される。
【０１３５】
描画線ＯＴＬ４の移動先位置が外周領域２７に対応することから、「既存オブジェクトＯＴＥの次に描画された新しい描画線の移動先位置が外周領域２７にあるとき、確定オブジェクト記憶手段３８は、既存オブジェクトＯＴＥを確定オブジェクトＯＴＤとして確定する」こととなり、既存オブジェクトＯＴＥ３は、確定オブジェクトＯＴＤ３として確定される。つまり、ひらがな「は」に対応するオブジェクトが確定されたこととなる。
【０１３６】
上述したとおり、本実施の形態によれば、操作者の操作に拠らずに確定オブジェクトＯＴＤを確定することから、自然な使用感で、手書き入力（手書き描画）することが可能となり、操作性の優れた効率的な手書き入力が可能な情報処理システム１を提供することができる。
【０１３７】
上述したとおり、本実施の形態に係る描画線処理方法は、タッチペン１５によって描画された描画線ＯＴＬを検出するタッチパネル１０と、タッチパネル１０に重畳されタッチパネル１０が検出した描画線ＯＴＬを表示する表示装置２０と、タッチパネル１０に描画された描画線ＯＴＬに対する処理を施して表示装置２０に描画線ＯＴＬを表示させる制御装置３０とを備える情報処理システム１での描画線処理方法に関する。
【０１３８】
また、本実施の形態に係る描画線処理方法では、タッチペン１５で描画された描画線ＯＴＬを既存オブジェクトＯＴＥとして認識する既存オブジェクト認識ステップと、既存オブジェクト認識ステップで認識した既存オブジェクトＯＴＥの上下左右に想定外接線ＣＬを適用して既存オブジェクトＯＴＥを囲む単位矩形ブロック２４を画定し単位矩形ブロック２４に隣接する矩形状の隣接矩形ブロック２５を単位矩形ブロック２４の周囲に行列状に配置して隣接枠状領域２６を画定する隣接枠状領域画定ステップと、隣接枠状領域２６の外周を外周領域２７として画定する外周領域画定ステップと、既存オブジェクトＯＴＥの次に描画された新しい描画線ＯＴＬの移動先位置を認識する移動先位置認識ステップと、単位矩形ブロック２４の位置と移動先位置認識手段で認識された移動先位置との相関に基づいて既存オブジェクトＯＴＥを確定オブジェクトＯＴＤとして確定するオブジェクト確定ステップとを備える。
【０１３９】
したがって、既存オブジェクトＯＴＥを囲む単位矩形ブロック２４を基準として既存オブジェクトＯＴＥの次に描画された新しい描画線ＯＴＬの移動先位置を認識し、単位矩形ブロック２４と認識した移動先位置との相関に応じて既存オブジェクトＯＴＥを確定オブジェクトＯＴＤとして確定することが可能となることから、使用者の操作によることなく描画状態に応じて既存オブジェクトＯＴＥを容易かつ高精度に確定オブジェクトＯＴＤとして確定することができ、操作性に優れた描画オブジェクト確定処理が可能な描画線処理方法とすることができる。
【０１４０】
上述したとおり、本実施の形態に係るコンピュータプログラムは、タッチペンによって描画された描画線を検出するタッチパネルと、タッチパネルに重畳されタッチパネルが検出した描画線を表示する表示装置と、タッチパネルに描画された描画線に対する処理を施して表示装置に描画線を表示させる制御装置とを備える情報処理システムでの描画線処理方法をコンピュータに実行させるコンピュータプログラムに関する。
【０１４１】
また、本実施の形態に係るコンピュータプログラムは、コンピュータに、タッチペンで描画された描画線を既存オブジェクトとして認識する既存オブジェクト認識ステップを実行させ、コンピュータに、既存オブジェクト認識ステップで認識した既存オブジェクトの上下左右に想定外接線を適用して既存オブジェクトを囲む単位矩形ブロックを画定し単位矩形ブロックに隣接する矩形状の隣接矩形ブロックを単位矩形ブロックの周囲に行列状に配置して隣接枠状領域を画定する隣接枠状領域画定ステップを実行させ、コンピュータに、隣接枠状領域の外周を外周領域として画定する外周領域画定ステップを実行させ、コンピュータに、既存オブジェクトの次に描画された新しい描画線の移動先位置を認識する移動先位置認識ステップを実行させ、コンピュータに、単位矩形ブロックの位置と移動先位置認識手段で認識された移動先位置との相関に基づいて既存オブジェクトを確定オブジェクトとして確定するオブジェクト確定ステップを実行させる。
【０１４２】
したがって、本実施の形態に係る描画線処理方法を極めて容易、高精度、迅速に実行させることが可能となり、使用者の操作によることなく描画状態に応じて既存オブジェクトを容易かつ高精度に確定オブジェクトとして確定することができ、操作性（使用感）に優れた描画オブジェクト確定処理が可能な描画線処理方法をコンピュータに実行させるコンピュータプログラムとすることができる。
【図面の簡単な説明】
【０１４３】
【図１】本発明の実施の形態１に係る情報処理システムの主要概略構成と概略機能を順次拡大して示す機能説明図である。
【図２】本発明の実施の形態１に係る情報処理システムの主要構成ブロックを示す主要構成ブロック図である。
【図３Ａ】本発明の実施の形態２に係る情報処理システムで描画線に基づいて認識した既存オブジェクトを確定オブジェクトとして確定するときの処理フローを示すフローチャートである。
【図３Ｂ】本発明の実施の形態２に係る情報処理システムで描画線に基づいて認識した既存オブジェクトを確定オブジェクトとして確定するときの処理フローを示すフローチャートである。
【図３Ｃ】本発明の実施の形態２に係る情報処理システムで描画線に基づいて認識した既存オブジェクトを確定オブジェクトとして確定するときの処理フローを示すフローチャートである。
【図４Ａ】本発明の実施の形態２に係る情報処理システム（表示画面）で描画線としてひらがな「の」が描画された状態を示す説明図である。
【図４Ｂ】本発明の実施の形態２に係る情報処理システム（表示画面）で既存オブジェクトとしてのひらがな「の」に想定外接線が適用され単位矩形ブロックが画定された状態を示す説明図である。
【図４Ｃ】本発明の実施の形態２に係る情報処理システム（表示画面）で既存オブジェクトとしてのひらがな「の」に対して確定された単位矩形ブロックの周囲に隣接矩形ブロックを行列状に配置して隣接枠状領域を画定した状態を示す説明図である。
【図５Ａ】本発明の実施の形態２に係る情報処理システム（表示画面）で描画線としてひらがな「は」の第１画が描画された状態を示す説明図である。
【図５Ｂ】本発明の実施の形態２に係る情報処理システム（表示画面）で描画線としてひらがな「は」の第１画について想定外接線が適用された状態を示す説明図である。
【図５Ｃ】本発明の実施の形態２に係る情報処理システム（表示画面）で描画線としてひらがな「は」の第１画について単位矩形ブロック、隣接矩形ブロック、隣接枠状領域が画定された状態を示す説明図である。
【図５Ｄ】本発明の実施の形態２に係る情報処理システム（表示画面）で描画線としてひらがな「は」の第１画の次に第２画が描画された状態を示す説明図である。
【図５Ｅ】本発明の実施の形態２に係る情報処理システム（表示画面）で描画線としてひらがな「は」の第２画について単位矩形ブロック、隣接矩形ブロック、隣接枠状領域が画定された状態を示す説明図である。
【図５Ｆ】本発明の実施の形態２に係る情報処理システム（表示画面）で描画線としてひらがな「は」の第３画が描画された状態を示す説明図である。
【図５Ｇ】本発明の実施の形態２に係る情報処理システム（表示画面）で描画線としてひらがな「は」の次にひらがな「の」が描画された状態を示す説明図である。
【符号の説明】
【０１４４】
１  情報処理システム
１０  タッチパネル
１１  タッチセンサー
１２  インターフェイス
１５  タッチペン
２０  表示装置
２１  インターフェイス
２２  表示画面
２４  単位矩形ブロック
２５  隣接矩形ブロック
２５ａ、２５ｂ、２５ｃ、２５ｄ  隣接矩形ブロック
２５ｅ、２５ｆ、２５ｇ、２５ｈ  隣接矩形ブロック
２６  隣接枠状領域
２７  外周領域
３０  制御装置
３１  制御部
３２  既存オブジェクト認識手段
３３  隣接枠状領域画定手段
３４  外周領域画定手段
３５  移動先位置認識手段
３６  オブジェクト確定手段
３７  言語記述方向認識手段
３８  確定オブジェクト記憶手段
３９  外接線調整手段
ＣＬ  想定外接線
ＣＬ１  左側想定外接線
ＣＬ２  右側想定外接線
ＣＬ３  上側想定外接線
ＣＬ４  下側想定外接線
Ｄｓ  間隔
ＯＴＬ、ＯＴＬ１、ＯＴＬ２、ＯＴＬ３、ＯＴＬ４  描画線
ＯＴＥ、ＯＴＥ１、ＯＴＥ２、ＯＴＥ３  既存オブジェクト
ＯＴＤ、ＯＴＤ１、ＯＴＤ２、ＯＴＤ３  確定オブジェクト
【図１】
2009175869.tif 000003
【図２】
2009175869.tif 000004
【図３Ａ】
2009175869.tif 000005
【図３Ｂ】
2009175869.tif 000006
【図３Ｃ】
2009175869.tif 000007
【図４Ａ】
2009175869.tif 000008
【図４Ｂ】
2009175869.tif 000009
【図４Ｃ】
2009175869.tif 000010
【図５Ａ】
2009175869.tif 000011
【図５Ｂ】
2009175869.tif 000012
【図５Ｃ】
2009175869.tif 000013
【図５Ｄ】
2009175869.tif 000014
【図５Ｅ】
2009175869.tif 000015
【図５Ｆ】
2009175869.tif 000016
【図５Ｇ】
2009175869.tif 000017